【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
医用画像中の所望の血管を含む所定臓器の画像を表示器に表示する臓器表示工程と、
この臓器表示工程によって表示された所定臓器の画像から前記所望血管を選択すると共に、その所望血管の特定位置を指定する血管選択工程と、
この血管選択工程によって選択された血管に造影剤を擬似的に流したように表示する擬似造影モードによる画像表示工程と、
前記血管選択工程によって選択された所望血管に関連する関連領域の組織境界を算出する組織境界算出工程とを含む医用画像表示方法であって、
前記擬似造影モードによる画像表示工程は、前記組織境界算出工程によって算出された組織境界に基づいて前記特定位置から前記選択された血管とその血管の関連領域に擬似的に造影剤を流したように表示することを特徴とする医用画像表示方法。
【請求項２】
医用画像中の所望の血管を含む所定臓器の画像を表示器に表示する臓器表示工程と、
この臓器表示工程によって表示された所定臓器の画像から前記所望血管を選択すると共に、その所望血管の特定位置を指定する血管選択工程と、
この血管選択工程によって選択された血管に造影剤を擬似的に流したように表示する擬似造影モードによる画像表示工程と、
前記血管選択工程によって選択された所望血管に関連する関連領域の組織境界を算出する組織境界算出工程とを含む医用画像表示方法であって、
前記擬似造影モードによる両像表示工程は、前記特定位置から前記組織境界算出工程によって算出された関連領域までの擬似的な造影剤の流れを順次表示することを特徴とする医用画像表示方法。
【請求項３】
医用画像中の所望の血管を含む所定臓器の画像を表示器に表示する臓器表示工程と、
この臓器表示工程によって表示された所定臓器の画像から前記所望血管を選択すると共に、その所望血管の特定位置を指定する血管選択工程と、
この血管選択工程によって選択された血管に造影剤を擬似的に流したように表示する擬似造影モードによる画像表示工程と、
前記血管選択工程によって選択された所望血管に関連する関連領域の組織境界を算出する組織境界算出工程とを含む医用画像表示方法であって、
前記血管選択工程は、前記所定臓器の画像の抽出に際して関心領域を設定すると共に、前記組織境界算出工程は、前記設定された関心領域に基づいて前記組織境界を算出することを特徴とする医用画像表示方法。
【請求項４】
医用画像中の所望の血管を含む所定臓器の画像を表示器に表示する臓器表示工程と、
この臓器表示工程によって表示された所定臓器の画像から前記所望血管を選択すると共に、その所望血管の特定位置を指定する血管選択工程と、
この血管選択工程によって選択された血管に造影剤を擬似的に流したように表示する擬似造影モードによる画像表示工程と、
前記血管選択工程によって選択された所望血管に関連する関連領域の組織境界を算出する組織境界算出工程とを含む医用画像表示方法であって、
前記血管選択工程は、前記所望血管にその特定位置を仮想的な造影剤の流入開始位置と前記注入開始位置に対する終了位置とを任意設定する工程を含み、前記擬似造影モードによる画像表示工程は、前記注入開始位置から前記終了位置までの擬似的な造影剤の流れを順次表示することを特徴とする医用画像表示方法。
【請求項５】
医用画像中の所望の血管を含む所定臓器の画像を表示器に表示する臓器表示工程と、
この臓器表示工程によって表示された所定臓器の画像から前記所望血管を選択すると共に、その所望血管の特定位置を指定する血管選択工程と、
この血管選択工程によって選択された血管に造影剤を擬似的に流したように表示する擬似造影モードによる画像表示工程と、
前記血管選択工程によって選択された所望血管に関連する関連領域の組織境界を算出する組織境界算出工程とを含む医用画像表示方法であって、
前記擬似造影モードによる画像表示工程は、前記所定位置に指定され選択された血管の関連領域の略全体までの擬似的な造影剤の流れを順次表示することを特徴とする医用画像表示方法。
【請求項６】
医用画像中の所望の血管を含む所定臓器の画像を表示器に表示する臓器表示工程と、
この臓器表示工程によって表示された所定臓器の画像から前記所望血管を選択すると共に、その所望血管の特定位置を指定する血管選択工程と、
この血管選択工程によって選択された血管に造影剤を擬似的に流したように表示する擬似造影モードによる画像表示工程と、
前記血管選択工程によって選択された所望血管に関連する関連領域の組織境界を算出する組織境界算出工程とを含む医用画像表示方法であって、
前記擬似造影モードによる画像表示工程は、前記造影剤が擬似的に流れた軌跡を強調して順次表示することを特徴とする医用画像表示方法。
【請求項７】
請求項７に記載の医用画像表示方法において、前記強調表示は前記軌跡を所定色又は輝度によって塗り潰されることを特徴とする医用画像表示方法。
【請求項８】
医用画像中の所望の血管を含む所定臓器の画像を表示器に表示する臓器表示工程と、
この臓器表示工程によって表示された所定臓器の画像から前記所望血管を選択すると共に、その所望血管の特定位置を指定する血管選択工程と、
この血管選択工程によって選択された血管に造影剤を擬似的に流したように表示する擬似造影モードによる画像表示工程と、
前記血管選択工程によって選択された所望血管に関連する関連領域の組織境界を算出する組織境界算出工程とを含む医用画像表示方法であって、
前記擬似造影モードによる画像表示工程は、前記血管選択工程によって選択された血管の所定位置から血管末梢への擬似的な造影剤の流れを順次表示することを特徴とする医用画像表示方法。
【請求項９】
医用画像中の所望の血管を含む所定臓器の画像を表示器に表示する臓器表示手段と、
この臓器表示手段によって表示された所定臓器の画像から前記所望血管を選択すると共に、その所望血管の特定位置を指定する血管選択手段と、
この血管選択手段によって選択された血管に造影剤を擬似的に流したように表示する擬似造影モードによる画像表示手段と、
前記血管選択手段によって選択された所望血管に関連する関連領域の組織境界を算出する組織境界算出手段とを含む医用画像表示装置であって、
前記擬似造影モードによる画像表示手段は、前記組織境界算出手段によって算出された組織境界に基づいて前記特定位置から前記選択された血管とその血管の関連領域に擬似的に造影剤を流したように表示することを特徴とする医用画像表示装置。
【請求項１０】
医用画像中の所望の血管を含む所定臓器の画像を表示器に表示する臓器表示手段と、
この臓器表示手段によって表示された所定臓器の画像から前記所望血管を選択すると共に、その所望血管の特定位置を指定する血管選択手段と、
この血管選択手段によって選択された血管に造影剤を擬似的に流したように表示する擬似造影モードによる画像表示手段と、
前記血管選択手段によって選択された所望血管に関連する関連領域の組織境界を算出する組織境界算出手段とを含む医用画像表示装置であって、
前記擬似造影モードによる画像表示手段は、前記特定位置から前記組織境界算出手段によって算出された関連領域までの擬似的な造影剤の流れを順次表示することを特徴とする医用画像表示装置。
【請求項１１】
医用画像中の所望の血管を含む所定臓器の画像を表示器に表示する臓器表示手段と、
この臓器表示手段によって表示された所定臓器の画像から前記所望血管を選択すると共に、その所望血管の特定位置を指定する血管選択手段と、
この血管選択手段によって選択された血管に造影剤を擬似的に流したように表示する擬似造影モードによる画像表示手段と、
前記血管選択手段によって選択された所望血管に関連する関連領域の組織境界を算出する組織境界算出手段とを含む医用画像表示装置であって、
前記血管選択手段は、前記所定臓器の画像の抽出に際して関心領域を設定すると共に、前記組織境界算出手段は、前記設定された関心領域に基づいて前記組織境界を算出することを特徴とする医用画像表示装置。
【請求項１２】
医用画像中の所望の血管を含む所定臓器の画像を表示器に表示する臓器表示手段と、
この臓器表示手段によって表示された所定臓器の画像から前記所望血管を選択すると共に、その所望血管の特定位置を指定する血管選択手段と、
この血管選択手段によって選択された血管に造影剤を擬似的に流したように表示する擬似造影モードによる画像表示手段と、
前記血管選択手段によって選択された所望血管に関連する関連領域の組織境界を算出する組織境界算出手段とを含む医用画像表示装置であって、
前記血管選択手段は、前記所望血管にその特定位置を仮想的な造影剤の流入開始位置と前記注入開始位置に対する終了位置とを設定する手段を含み、前記擬似造影モードによる画像表示手段は、前記注入開始位置から前記終了位置までの擬似的な造影剤の流れを順次表示することを特徴とする医用画像表示装置。
【請求項１３】
医用画像中の所望の血管を含む所定臓器の画像を表示器に表示する臓器表示手段と、
この臓器表示手段によって表示された所定臓器の画像から前記所望血管を選択すると共に、その所望血管の特定位置を指定する血管選択手段と、
この血管選択手段によって選択された血管に造影剤を擬似的に流したように表示する擬似造影モードによる画像表示手段と、
前記血管選択手段によって選択された所望血管に関連する関連領域の組織境界を算出する組織境界算出手段とを含む医用画像表示装置であって、
前記擬似造影モードによる画像表示手段は、前記所定位置に指定され選択された血管の関連領域の略全体までの擬似的な造影剤の流れを順次表示することを特徴とする医用画像表示装置。
【請求項１４】
医用画像中の所望の血管を含む所定臓器の画像を表示器に表示する臓器表示手段と、
この臓器表示手段によって表示された所定臓器の画像から前記所望血管を選択すると共に、その所望血管の特定位置を指定する血管選択手段と、
この血管選択手段によって選択された血管に造影剤を擬似的に流したように表示する擬似造影モードによる画像表示手段と、
前記血管選択手段によって選択された所望血管に関連する関連領域の組織境界を算出する組織境界算出手段とを含む医用画像表示装置であって、
前記擬似造影モードによる画像表示手段は、前記造影剤が擬似的に流れた軌跡を強調して順次表示することを特徴とする医用画像表示装置。
【請求項１５】
請求項１４に記載の医用画像表示装置において、前記強調表示は前記軌跡を所定色又は輝度によって塗り潰されることを特徴とする医用画像表示装置。
【請求項１６】
医用画像中の所望の血管を含む所定臓器の画像を表示器に表示する臓器表示手段と、
この臓器表示手段によって表示された所定臓器の画像から前記所望血管を選択すると共に、その所望血管の特定位置を指定する血管選択手段と、
この血管選択手段によって選択された血管に造影剤を擬似的に流したように表示する擬似造影モードによる画像表示手段と、
前記血管選択手段によって選択された所望血管に関連する関連領域の組織境界を算出する組織境界算出手段とを含む医用画像表示装置であって、
前記擬似造影モードによる画像表示手段は、前記血管選択手段によって選択された血管の所定位置から血管末梢への擬似的な造影剤の流れを順次表示することを特徴とする医用画像表示装置。
【手続補正２】
【補正対象書類名】明細書
【補正対象項目名】発明の名称
【補正方法】変更
【補正の内容】
【発明の名称】医用画像表示方法及び装置
【手続補正３】
【補正対象書類名】明細書
【補正対象項目名】００１０
【補正方法】変更
【補正の内容】
【００１０】
本発明に係る臓器特定領域抽出支援方法の第１の特徴は、医用画像に基づいて抽出された単一臓器に対応した関心領域内の血管の情報を抽出するステップと、抽出された前記血管の情報の中の所定の血管の位置を指定するステップと、前記指定された血管に支配される特定領域を前記関心領域内から抽出するステップと、前記指定された血管の位置から、その血管内の血流が前記血管を経て前記特定領域全体に行き渡るまでの様子を塗り潰しによって順次表示するステップとを備えたものである。これは、関心領域、特定領域及び血管の情報などの抽出については、従来から知られている手法を用いて行い、カーソルなどのポインティングデバイスで血管の所定の位置を指定することによって、そこから例えば造影剤が注入された場合にその造影剤を含む血流が血管内を循環していく様子を血管の情報を塗り潰すことによって表示すると共に造影剤を含む血流が血管から染み出して特定領域全体に行き渡るまでの過程を同様に塗り潰すことによって表示するようにしたものである。これによって、血管内に注入された造影剤が血管内を徐々に循環する様子を高精度にシミュレーションして表示することができる。ここでの塗り潰しとは、周囲との関係で血流が血管内を循環する様子を示せばいいので、周囲と色を代えたり、点滅させたりなどを含む概念である。
【手続補正４】
【補正対象書類名】明細書
【補正対象項目名】００１１
【補正方法】変更
【補正の内容】
【００１１】
本発明に係る臓器特定領域抽出支援方法の第２の特徴は、医用画像に基づいて抽出された単一臓器に対応した関心領域内の血管の情報を抽出するステップと、抽出された前記血管の情報の中から所定の血管の位置を指定するステップと、前記指定された血管に支配される特定領域を前記関心領域内から抽出するステップと、前記指定された血管の位置から血管末梢に向かって血管の塗り潰される様子を順次表示するステップと、前記血管が全体的に塗り潰された場合に前記血管の外側に向かって前記特定領域全体が塗り潰されるまでの様子を順次表示するステップとを備えたものである。これは、造影剤を含む血流が血管内を循環していく様子を指定された血管の位置から血管末梢に向かって順次塗り潰すことによって表現し、血管が全体的に塗り潰された場合には造影剤を含む血流が血管全体に行き渡ったと見なし、その後は血管の外側に向かって順次塗り潰すことによって造影剤を含む血流が血管から染み出して特定領域全体に行き渡る様子を表示するようにしたものである。
【手続補正５】
【補正対象書類名】明細書
【補正対象項目名】００１２
【補正方法】変更
【補正の内容】
【００１２】
本発明に係る臓器特定領域抽出支援方法の第３の特徴は、前記臓器特定領域抽出支援方法の第１又は第２の特徴において、前記指定するステップにて指定された血管の位置の流量を血流を一定と近似して、前記指定された血管の末梢に向かって所定ライン数ずつ塗り潰すと共に前記血管が全体的に塗り潰された後は前記血管の外側に向かって所定ライン数ずつ塗り潰すものである。これは、血管及び血管の外側を塗り潰す際の手法に関するものであり、所定ライン数、例えば１ラインずつを塗り潰すことによって毛細血管内の血流を一定に近似することとなり、徐々に血流が末梢に向かう様子や血管の外側に向かって血流が染み出す様子を高精度にシミュレーションすることができる。
【手続補正６】
【補正対象書類名】明細書
【補正対象項目名】００１３
【補正方法】変更
【補正の内容】
【００１３】
本発明に係る臓器特定領域抽出支援装置の第１の特徴は、医用画像に基づいて抽出された単一臓器に対応した関心領域内の血管の情報を抽出する関心領域抽出手段と、抽出された前記血管の情報の中から所定の血管の位置を指定する血管指定手段と、前記指定された血管に支配される特定領域を前記関心領域内から抽出する特定領域抽出手段と、前記指定された血管の位置から造影剤が注入されたと仮定し、前記造影剤注入後の血流が前記血管を経て前記特定領域全体に行き渡るまでの様子を塗り潰しによって順次表示する表示手段とを備えたものである。これは、臓器特定領域抽出支援方法の第１の特徴を実現するための装置の発明である。
【手続補正７】
【補正対象書類名】明細書
【補正対象項目名】００１４
【補正方法】変更
【補正の内容】
【００１４】
本発明に係る臓器特定領域抽出支援装置の第２の特徴は、医用画像に基づいて抽出された単一臓器に対応した関心領域内の血管の情報を抽出する関心領域抽出手段と、抽出された前記血管の情報の中から所定の血管の位置を指定する血管指定手段と、前記指定された血管に支配される特定領域を前記関心領域内から抽出する特定領域抽出手段と、前記指定された血管の位置から血管末梢に向かって血管の塗り潰される様子を順次表示すると共に前記血管が全体的に塗り潰された場合に前記血管の外側に向かって前記特定領域全体が塗り潰されるまでの様子を順次表示する表示手段とを備えたものである。これは、臓器特定領域抽出支援方法の第２の特徴を実現するための装置の発明である。
【手続補正８】
【補正対象書類名】明細書
【補正対象項目名】００１５
【補正方法】変更
【補正の内容】
【００１５】
本発明に係る臓器特定領域抽出支援装置の第３の特徴は、前記臓器特定領域抽出支援装置の第１又は第２の特徴において、前記血流を一定と近似して、前記指定された血管の末梢に向かって所定ライン数ずつ塗り潰すと共に前記血管が全体的に塗り潰された後は前記血管の外側に向かって所定ライン数ずつ塗り潰すものである。これは、前記臓器特定領域抽出支援方法の第３の特徴を実現するための装置の発明である。